(57)【特許請求の範囲】
【請求項１】
訪問施設を表す訪問情報を含む投稿記事の受け付けと公開を行うＳＮＳ（social networking service）を提供するサーバにアクセスするＳＮＳクライアントを備えた移動端末装置であって、
前記ＳＮＳクライアントは、
所定施設を訪問施設として表す訪問情報を含む投稿記事を前記サーバから取得する投稿記事取得手段と、
前記投稿記事取得手段がサーバから取得した前記投稿記事のうちの、前記所定施設を訪問施設として表す訪問情報を含む投稿記事の前後に投稿された投稿記事を少なくとも含む情報を他者動向情報として表示する他者動向情報表示手段を有することを特徴とする移動端末装置。
【請求項２】
請求項１記載の移動端末装置であって、
現在位置を算出する算出手段と、
前記現在位置から設定された目的地までのルートを探索するナビゲーション部を備え、
前記投稿記事取得手段は、前記算出された現在位置が前記目的地に到着したことを表しているときに、目的地となっている施設を前記所定施設として、当該所定施設を訪問施設として表す訪問情報を含む投稿記事を前記サーバから取得することを特徴とする移動端末装置。
【請求項３】
請求項１記載の移動端末装置であって、
現在位置を算出する算出手段を備え、
前記投稿記事取得手段は、前記他者動向情報の表示指示を受け付けたときに、前記現在位置に対応する施設を前記所定施設として、当該所定施設を訪問施設として表す訪問情報を含む投稿記事を前記サーバから取得することを特徴とする移動端末装置。
【請求項４】
請求項１記載の移動端末装置であって、
前記投稿記事取得手段は、前記他者動向情報の表示指示を受け付けたときに、ユーザから施設の指定を受け付け、指定を受け付けた施設を前記所定施設として、当該所定施設を訪問施設として表す訪問情報を含む投稿記事を前記サーバから取得することを特徴とする移動端末装置。
【請求項５】
請求項１、２、３または４記載の移動端末装置であって、
前記投稿記事取得手段は、前記所定施設を訪問施設として表す訪問情報を含む投稿記事を投稿した、前記ＳＮＳの利用者であるＳＮＳユーザの識別を前記サーバから取得し、識別を取得した前記ＳＮＳユーザの一覧を表示し、表示した一覧上で前記ＳＮＳユーザの選択を受け付け、選択を受け付けた前記ＳＮＳユーザが投稿した前記投稿記事を前記サーバから取得することを特徴とする移動端末装置。
【請求項６】
請求項５記載の移動端末装置であって、
前記投稿記事取得手段は、前記ＳＮＳユーザの一覧を、前記所定施設を訪問施設として表す訪問情報を含む投稿記事を投稿した日時がより新しい前記ＳＮＳユーザが、より上位に位置するように各ＳＮＳユーザの識別を配置した形態で表示することを特徴とする移動端末装置。
【請求項７】
請求項５記載の移動端末装置であって、
前記投稿記事取得手段は、前記ＳＮＳユーザの一覧を、当該ＳＮＳクライアントに予め登録されている前記ＳＮＳユーザが、より上位に位置するように各ＳＮＳユーザの識別を配置した形態で表示することを特徴とする移動端末装置。
【請求項８】
コンピュータによって読み取られ実行されるコンピュータプログラムであって、
前記コンピュータに、
訪問施設を表す訪問情報を含む投稿記事の受け付けと公開を行うＳＮＳ（social networking service）を提供するサーバにアクセスし、所定施設を訪問施設として表す訪問情報を含む投稿記事を前記サーバから取得するステップと、
前記サーバから取得した前記投稿記事のうちの、前記所定施設を訪問施設として表す訪問情報を含む投稿記事の前後に投稿された投稿記事を少なくとも含む情報を他者動向情報として表示するステップとを実行させることを特徴とするコンピュータプログラム。
【発明の詳細な説明】
【技術分野】
【０００１】
本発明は、ＳＮＳ（social networking service）で公開されている投稿記事の利用を支援する技術に関するものである。
【背景技術】
【０００２】
ＳＮＳ（social networking service）としては、各ユーザからテキストや画像を含む記事の投稿を受け付け、投稿を受け付けた記事を、他のユーザに公開するサービスが知られている（たとえば、特許文献１）。
また、第１のユーザの訪問位置を当該第１のユーザの移動端末からサーバに登録し、当該サーバにおいて、第２のユーザからの要求に応えて、第１のユーザの訪問位置の履歴を第２のユーザの移動端末に通知する技術も知られている（たとえば、特許文献２）。
【先行技術文献】
【特許文献】
【０００３】
【特許文献１】特開２００７-３２３３１１号公報
【特許文献２】特開２０１１-１２８３９４号公報
【発明の概要】
【発明が解決しようとする課題】
【０００４】
ユーザがある施設を訪問したとき、または、訪問しようとするとき、当該施設の訪問の後の予定をたてる際に、当該施設を訪問した他者が、当該施設の訪問の前後にどのような行動をしているかを参考にできれば、より有意義な予定をたてられることが期待できる。
そこで、本発明は、ユーザが訪問した施設、または、訪問しようとする施設について、他者が当該施設の訪問の前後にどのような行動をしているかの情報を提供することを課題とする。
【課題を解決するための手段】
【０００５】
前記課題達成のために、本発明は、訪問施設を表す訪問情報を含む投稿記事の受け付けと公開を行うＳＮＳ（social networking service）を提供するサーバにアクセスするＳＮＳクライアントを備えた移動端末装置において、前記ＳＮＳクライアントに、所定施設を訪問施設として表す訪問情報を含む投稿記事を前記サーバから取得する投稿記事取得手段と、前記投稿記事取得手段がサーバから取得した前記投稿記事のうちの、前記所定施設を訪問施設として表す訪問情報を含む投稿記事の前後に投稿された投稿記事を少なくとも含む情報を他者動向情報として表示する他者動向情報表示手段とを備えたものである。
【０００６】
また、このような移動端末装置に、現在位置を算出する算出手段と、前記現在位置から設定された目的地までのルートを探索するナビゲーション部を備え、前記投稿記事取得手段において、前記算出された現在位置が前記目的地に到着したことを表しているときに、目的地となっている施設を前記所定施設として、当該所定施設を訪問施設として表す訪問情報を含む投稿記事を前記サーバから取得するようにしてもよい。
【０００７】
また、このような移動端末装置に、現在位置を算出する算出手段を備え、前記投稿記事取得手段において、前記他者動向情報の表示指示を受け付けたときに、前記現在位置に対応する施設を前記所定施設として、当該所定施設を訪問施設として表す訪問情報を含む投稿記事を前記サーバから取得するようにしてもよい。
または、移動端末装置に、前記投稿記事取得手段において、前記他者動向情報の表示指示を受け付けたときに、ユーザから施設の指定を受け付け、指定を受け付けた施設を前記所定施設として、当該所定施設を訪問施設として表す訪問情報を含む投稿記事を前記サーバから取得するようにしてもよい。
【０００８】
ここで、以上のような移動端末装置は、前記投稿記事取得手段において、前記所定施設を訪問施設として表す訪問情報を含む投稿記事を投稿した、前記ＳＮＳの利用者であるＳＮＳユーザの識別を前記サーバから取得し、識別を取得した前記ＳＮＳユーザの一覧を表示し、表示した一覧上で前記ＳＮＳユーザの選択を受け付け、選択を受け付けた前記ＳＮＳユーザが投稿した前記投稿記事を前記サーバから取得するように構成してもよい。また、この場合、前記投稿記事取得手段において、前記ＳＮＳユーザの一覧を、前記所定施設を訪問施設として表す訪問情報を含む投稿記事を投稿した日時がより新しい前記ＳＮＳユーザが、より上位に位置するように各ＳＮＳユーザの識別を配置した形態で表示するようにしてもよいし、前記ＳＮＳユーザの一覧を、当該ＳＮＳクライアントに予め登録されている前記ＳＮＳユーザが、より上位に位置するように各ＳＮＳユーザの識別を配置した形態で表示するようにしてもよい。
【０００９】
これらのような移動端末装置によれば、ユーザが訪問した施設またはユーザが指定した施設を所定施設として、当該所定施設を訪問した他者が、その訪問の前後にＳＮＳに投稿した投稿記事をユーザに提示されることになり、当該提示される投稿記事は、当該所定施設を訪問した他者が、その前後にどのような行動をしているかを表すものである蓋然性が高い。よって、発明によれば、ユーザが訪問した施設またはユーザが指定した施設について、他者が当該施設の訪問の前後にどのような行動をしているかの情報を提供することができる。
【発明の効果】
【００１０】
以上のように、本発明によれば、ユーザが訪問した施設、または、訪問しようとする施設について、他者が当該施設の訪問の前後にどのような行動をしているかの情報を提供することができる。
【図面の簡単な説明】
【００１１】
【図１】本発明の実施形態に係る車載システムの構成を示すブロック図である。
【図２】本発明の実施形態に係る地図データベースを示す図である。
【図３】本発明の実施形態に係るＳＮＳサーバの構成を示すブロック図である。
【図４】本発明の実施形態に係る他者動向情報提示処理を示すフローチャートである。
【図５】本発明の実施形態に係る車載システムの表示画面の例を示す図である。
【図６】本発明の実施形態に係る他者動向情報提示処理を示すフローチャートである。
【発明を実施するための形態】
【００１２】
以下、本発明の実施形態について説明する。
図１に本実施形態に係る車載システムの構成を示す。
車載システムは、自動車に搭載されるシステムであり、図示するように、車載システム１は、操作部１０１、表示装置１０２、ＧＰＳ受信機１０３、自動車の車速や角速度を計測する車両状態センサ１０４、記憶装置１０５、移動体通信装置１０６を備えている。また、車載システムは、以上の各デバイスとの間の入出力の制御や、アプリケーションの実行を制御するオペレーティングシステム１１０を備えている。そして、車載システム１は、このようなオペレーティングシステム１１０上で稼働するアプリケーションでとしてナビゲーション部１２１とＳＮＳ（social networking service）クライアント１２２とを備えている。
【００１３】
なお、車載システム１は、ハードウエア的には、マイクロプロセッサや、メモリや、その他の周辺デバイスを有する一般的な構成を備えたコンピュータを用いて構成され、この場合、以上に示した車載システム１のオペレーティングシステム１１０やアプリケーションは、マイクロプロセッサが予め用意されたプログラムを実行することにより具現化するプロセスとして実現されるものであって良い。また、この場合、このようなプログラムは、記録媒体や適当な通信路を介して、車載システム１に提供されるものであって良い。
【００１４】
ここで、車載システム１のＳＮＳクライアント１２２は、移動体通信装置１０６を介してインターネット２と、インターネット２に接続したＳＮＳサーバ３にアクセスすることができる。
次に記憶装置１０５には、地図データベースが予め記憶されている。そして、地図データベースには、図２に示すように、地図を表す地図データとサービスデータとが格納されている。
そして、サービスデータは、各所の施設のそれぞれについて設けた施設レコードを含む。そして、施設レコードには、施設に対して一意に与えた施設識別子、施設のレストランや、観光施設、公園などの種別を表す施設種別、施設の名称である施設名称、施設の経緯度座標を表す施設座標、施設の住所を表す施設住所、施設の電話番号、その他の施設に関する各種情報である施設詳細説明が格納されている。
【００１５】
次に、車載システム１のナビゲーション部１２１は、このように記憶装置１０５に記録されている地図データを用いて、ＧＰＳ受信機１０３や車両状態センサ１０４を利用した、自車の現在位置の算出や、ユーザからの目的地の設定の受け付けや、設定された目的地までのルートの探索や、図５ａに示すような、現在位置周辺の地図５０１上に現在位置や現在の前方方向を表すマーク５０２や目的地までのルート５０３や目的地を表すマーク５０４を表したナビゲーション画像５００の生成や表示装置１０２への表示などを行う。
【００１６】
なお、ナビゲーション部１２１は、目的地の設定の受け付けを、地図上での目的地とする地点の指定の受け付けによって行う他、サービスデータを利用した形態によっても行う。
すなわち、ナビゲーション部１２１は、サービスデータの施設レコードのうち、ユーザの指定した地域や施設種別などに関する検索条件にマッチする施設レコードの施設名称の一覧を表示装置１０２に表示し、一覧中から選択された施設名称の施設レコードの施設座標を目的地として設定する。
【００１７】
以下、ＳＮＳサーバ３と車載システム１のＳＮＳクライアント１２２について説明する。
図３に示すように、ＳＮＳサーバ３は、スポットデータベース３１と、アカウントデータベース３２と、投稿記事データベース３３と、ＳＮＳ提供部３４を備えている。
そして、スポットデータベース３１は、スポットとして登録された各施設毎に、施設名称を表すスポット名称と、施設の座標を表すスポット座標が登録されている。
また、アカウントデータベース３２には、ＳＮＳサーバ３の登録ユーザであるアカウント毎に、当該アカウントのアカウント名や当該アカウントのメールアドレスやパスワードなどの登録情報、当該アカウントを表すアイコンとして用いる画像であるアバターや、当該アカウントからの限定公開が設定された投稿記事を公開する他のアカウントである友達や、当該アカウントが投稿記事を購読する他のアカウントであるフォローが登録されている。
【００１８】
そして、投稿記事データベース３３には、アカウント毎に、当該アカウントがＳＮＳクライアント１２２を用いてＳＮＳサーバ３に投稿した投稿記事の各々が投稿記事データとして蓄積されている。
また、各投稿記事データは、投稿記事の投稿日時と、投稿記事に含まれるチェックインスポットと、投稿記事に含まれるテキストであるメッセージとが含まれる。チェックインスポットとは、アカウントが投稿記事の投稿時にスポットデータベース３１に登録されているスポットのうちから選択して、投稿記事にその指定を含めたスポットであり、通常は、投稿時点のアカウントの現在位置する施設がチェックインスポットとして指定される。
【００１９】
次に、ＳＮＳ提供部３４は、投稿受け付けサービス部３４１、登録タイムライン提供サービス部３４２、検索サービス部３４３とを含んでいる。
そして、投稿受け付けサービス部３４１は、ＳＮＳのアカウントからＳＮＳクライアント１２２を用いてＳＮＳサーバ３に投稿された投稿記事を受け付け、投稿記事データとして投稿記事データベース３３に格納する。
また、登録タイムライン提供サービス部３４２は、投稿記事データベース３３に蓄積されている投稿記事データに基づいて、各ＳＮＳクライアント１２２に、当該ＳＮＳクライアント１２２のアカウントやフォローを登録している他のアカウントが投稿した投稿記事のメッセージやチェックインスポットを、投稿者のアバターやアカウント名や、投稿日時と共に、投稿日時が最新のものより時系列に上から下へ並べたリストであるタイムラインを生成して配信したり、各ＳＮＳクライアント１２２に、当該ＳＮＳクライアント１２２が閲覧を指定した他のアカウントが投稿した投稿記事のメッセージやチェックインスポットを、当該他のアカウントアバターやアカウント名や投稿日時と共に、投稿日時が最新のものより時系列に上から下へ並べたリストであるタイムラインを生成して配信する処理を行う。
【００２０】
残る検索サービス部３４３の動作については後述する。
以下、車載システム１のＳＮＳクライアント１２２の動作について説明する。
まず、ＳＮＳクライアント１２２による投稿記事の作成と投稿の動作について説明する。
ＳＮＳクライアント１２２は、操作部１０１を介してユーザからチェックイン処理の開始を指示されたならば、ナビゲーション部１２１が算出している現在位置を取得し、ＳＮＳサーバ３に現在位置を指定したスポットリストを要求する。一方、ＳＮＳサーバ３の検索サービス部３４３は、ＳＮＳクライアント１２２からスポットリストの要求を受け取ると、スポットデータベース３１から、指定された現在位置周辺のスポット座標を持つスポット名称を抽出し、抽出したスポット名称の一覧をスポットリストとしてＳＮＳクライアント１２２に応答する。
【００２１】
そして、スポットリストを受け取ったＳＮＳクライアント１２２は、スポットリストを表示し、スポットリスト中からのスポットの選定をユーザから受け付け、チェックインスポットとしての選定されたスポットの指定を投稿記事中に含める。また、ＳＮＳクライアント１２２は、メッセージの入力を選択的に受け付けて投稿記事に含める。そして、ユーザから投稿が指示されたならば、投稿記事をＳＮＳサーバ３に送信することにより投稿する。
【００２２】
次に、ＳＮＳクライアント１２２が行う他者動向情報提示処理について説明する。
図４に、この他者動向情報提示処理の手順を示す。
図示するように、この処理では、目的地への到着の発生（ステップ４０２）、または、操作部１０１を用いたユーザからの他者動向情報表示操作の発生（ステップ４０４）を監視する。ここで、目的地への到着は、ナビゲーション部１２１に設定されている目的地とナビゲーション部１２１が検出している現在位置から判定する。
そして、目的地への到着が発生した場合には（ステップ４０２）、目的地となっている施設の施設名称を検索スポット名称に設定する。ここで、目的地が上述のようにサービスデータを利用した形態によって目的地とする施設を受け付けることにより設定されたものである場合には、当該施設の施設名称を検索スポット名称とする（ステップ４０６）。一方、目的地がサービスデータを利用した形態によって受け付けたものでない場合には、目的地最寄りの施設の施設名称を検索スポット名称とする。または、ＳＮＳサーバ３から上述のように現在位置周辺のスポットのリストであるスポットリストを取得し、スポットリスト中のスポット名称のうち、目的地最寄りの施設の施設名称に最も近似するスポット名称を検索スポット名称とする。
【００２３】
また、操作部１０１を用いたユーザからの他者動向情報表示操作が発生した場合には（ステップ４０４）、ナビゲーション部１２１が検出している現在位置を着目地点とする。もしくは、図５ａに示すようにカーソル５１１を用いて、ナビゲーション画面上で指定された地点を着目地点とする。そして、着目地点最寄りの施設の施設名称を検索スポット名称とする（ステップ４０８）。または、ＳＮＳサーバ３から上述のようにスポットリストを取得し、スポットリスト中のスポット名称のうち、着目地点最寄りの施設の施設名称に最も近似するスポット名称を検索スポット名称とする。
【００２４】
そして、以上のようにして検索スポット名称を設定したならば（ステップ４０６、４０８）、次に、検索スポット名称のスポットをチェックインとする投稿記事を過去に投稿した他のアカウントの情報である「ここにいた人情報」をＳＮＳサーバ３から取得する（ステップ４１０）。
ここで、この「ここにいた人情報」の取得は、ＳＮＳサーバ３の検索サービス部３４３が、チェックインスポットの指定が含まれる投稿記事が投稿受け付けサービス部３４１に投稿されると、チェックインスポットとして指定されたスポット名称がチェックインスポットとして記述されている他の投稿記事データを過去所定期間内に投稿したアカウントを検索し、検索したアカウントのアバターやアカウント名の一覧を、各アカウントが投稿した、検索スポット名称のスポットがチェックインスポットとして記述されている最新の投稿記事データの投稿日時と共に「ここにいた人情報」として応答する検索サービスを提供するものである場合には、ＳＮＳクライアント１２２が、検索スポット名称のスポットをチェックインスポットとして指定した投稿記事をＳＮＳサーバ３に投稿して、「ここにいた人情報」を取得することにより行う。
【００２５】
また、このアカウント情報の取得は、ＳＮＳサーバ３の検索サービス部３４３が、キーとしてスポット名称を指定したＳＮＳクライアント１２２からの検索要求に応えて、キーとして指定されたスポット名称がチェックインスポットとして記述されている投稿記事を検索して検索した投稿記事を応答する検索サービスを提供するものである場合には、検索スポット名称をキーとする検索要求をＳＮＳサーバ３に発行し、ＳＮＳサーバ３から応答されたいずれかの投稿記事の投稿者となっている各アカウントのアバターやアカウント名や最新の投稿日時を抽出して「ここにいた人情報」とすることにより行うようにしてもよい。
【００２６】
また、このアカウント情報の取得は、ＳＮＳサーバ３の、上述した登録タイムライン提供サービス部ＳＮＳクライアントのアカウントの友達やフォローの投稿記事を取得して、取得した投稿記事のうちから、検索スポット名称がチェックインスポットとして記述されている投稿記事を抽出し、抽出したいずれかの投稿記事の投稿者となっている各アカウントのアバターやアカウント名や投稿日時を「ここにいた人情報」とすることにより行うようにしてもよい。
【００２７】
次に、このようにして、「ここにいた人情報」をＳＮＳサーバ３から取得したならば（ステップ４１０）、図５ｂに示すように、表示装置１０２に他者動向情報表示ウインドウ５２０を設定し、他者動向情報表示ウインドウ５２０に、ステップ４１０で取得した「ここにいた人情報」が示す各アカウントのアバターやアカウント名や投稿日時の一覧をアカウントリスト５２１として表示する（ステップ４１４）。ここで、アカウントリスト５２１中のアカウントの配置は、ＳＮＳクライアント１２２に予め登録されている、当該ＳＮＳクライアント１２２のアカウントの友達のアカウントや当該ＳＮＳクライアント１２２のアカウントがフォローしているアカウントがより上位に配置されるように行う。もしくは、アカウントリスト５２１中のアカウントの配置は、「ここにいた人情報」に含まれる投稿記事データの投稿日時が現在日時に近いアカウントほど上位に配置されるように行う。
【００２８】
そして、このようにして表示したアカウントリスト５２１上でのアカウントの選択をユーザから受け付け（ステップ４１４）、選択されたアカウントが投稿した投稿記事のタイムラインを、まだ、当該投稿記事を取得していない場合には、上述のようにＳＮＳサーバ３の登録タイムライン提供サービス部３４２から取得する（ステップ４１６）。
【００２９】
そして、取得したタイムライン５２２を、図５ｃに示すように、他者動向情報表示ウインドウ５２０に、検索スポット名称のスポットがチェックインスポットとして指定されている投稿記事５２２１を基準に、少なくとも、その前後の投稿日時の投稿記事が含まれるように表示する（ステップ４１８）。なお、他者動向情報表示ウインドウ５２０中のタイムライン５２２は、ユーザ操作に応じてスクロール表示するようにする。
【００３０】
そして、ユーザの表示終了指示の発生を待って（ステップ４２０）、他者動向情報表示ウインドウ５２０の表示を消去し（ステップ４２２）、ステップ４０２からの処理に戻る。
以上、ＳＮＳクライアント１２２が行う他者動向情報提示処理について説明した。
ところで、以上のような他者動向情報提示処理は、図６に示すように行うようにしてもよい。
すなわち、ステップ４０２からステップ４１０までを上述のように行って「ここにいた人情報」をＳＮＳサーバ３から取得したならば（ステップ４１０）、「ここにいた人情報」に含まれる各アカウントの投稿記事のタイムライン５２２を、まだ、当該投稿記事を取得していない場合には、上述のようにＳＮＳサーバ３の登録タイムライン提供サービス部３４２から取得する（ステップ６０２）。
【００３１】
そして、表示装置１０２に他者動向情報表示ウインドウ５２０を設定し、各アカウントのタイムライン５２２中の、検索スポット名称がチェックインスポットとして指定されている投稿記事の前後の投稿日時の投稿記事を抽出し、アカウント毎に抽出した投稿記事を、図５ｄに示すように、他者動向情報表示ウインドウ５２０中に投稿記事リスト５２３として表示する（ステップ６０４）。なお、他者動向情報表示ウインドウ５２０中の投稿記事リスト５２３は、ユーザ操作に応じてスクロール表示するようにする。
【００３２】
そして、投稿記事リスト５２３上での投稿記事の選択をユーザから受け付け（ステップ６０６）、選択された投稿記事の投稿者となっているアカウントが投稿した投稿記事のタイムライン５２２を、図５ｃに示すように、他者動向情報表示ウインドウ５２０に、検索スポット名称のスポットがチェックインスポットとして指定されている投稿記事５２２１を基準に、少なくとも、その前後の投稿日時の投稿記事が含まれるように表示する（ステップ６０８）。なお、他者動向情報表示ウインドウ５２０中のタイムライン５２２は、ユーザ操作に応じてスクロール表示するようにする。
【００３３】
そして、ユーザの表示終了指示の発生を待って（ステップ６１０）、他者動向情報表示ウインドウ５２０の表示を消去し（ステップ６１２）、ステップ４０２からの処理に戻る。
以上、本発明の実施形態について説明した。
以上のように、本実施形態によれば、到着した目的地や現在位置に対応する施設を訪問した他者が、その前後にＳＮＳに投稿した投稿記事をユーザに提示することができ、当該提示される投稿記事は、当該施設を訪問した他者が、その前後にどのような行動をしているかを表すものである蓋然性が高い。よって、本実施形態によれば、ユーザが訪問した施設について、他者が当該施設の訪問の前後にどのような行動をしているかの情報を提供することができる。
【００３４】
なお、以上の実施形態では、車載システム１に移動体通信の機能を備えたが、車載システム１に移動体通信の機能を備えずに、当該車載システム１にスマートフォンなどの携帯通信装置を接続可能に構成し、車載システム１のＳＮＳクライアント１２２がスマートフォンの移動体通信の機能を利用してＳＮＳサーバ３にアクセスするようにしてもよい。
【００３５】
または、以上の実施形態では、車載システム１にＳＮＳクライアント１２２と移動体通信の機能を備えたが、車載システム１にＳＮＳクライアント１２２と移動体通信の機能を備えずに、ＳＮＳクライアントを備えたスマートフォンなどの携帯通信装置を車載システム１に接続可能に構成し、車載システム１には、スマートフォンのＳＮＳクライアント１２２と連携動作して、スマートフォンのＳＮＳクライアント１２２のユーザインタフェースを車載システム１の表示装置１０２や操作部１０１を用いて提供するアプリケーションを設けるようにしてもよい。
【００３６】
または、以上の車載システム１の機能をスマートフォンなどの携帯通信装置に統合し、携帯通信装置において以上の動作を、単体で行うようにしてもよい。
【符号の説明】
【００３７】
１…車載システム、２…インターネット、３…ＳＮＳサーバ、３１…スポットデータベース、３２…アカウントデータベース、３３…投稿記事データベース、３４…ＳＮＳ提供部、１０１…操作部、１０２…表示装置、１０３…ＧＰＳ受信機、１０４…車両状態センサ、１０５…記憶装置、１０６…移動体通信装置、１１０…オペレーティングシステム、１２１…ナビゲーション部、１２２…ＳＮＳクライアント、３４１…投稿受け付けサービス部、３４２…登録タイムライン提供サービス部、３４３…検索サービス部、５００…ナビゲーション画像、５２０…他者動向情報表示ウインドウ、５２１…アカウントリスト、５２２…タイムライン、５２３…投稿記事リスト。
【図１】
0005881529.tif 000002
【図２】
0005881529.tif 000003
【図３】
0005881529.tif 000004
【図４】
0005881529.tif 000005
【図５】
0005881529.tif 000006
【図６】
0005881529.tif 000007